(57)【要約】【課題】簡単かつ確実に時刻補正を実施することができる携帯電話機及び該携帯電話機における時刻補正方法の提供。【解決手段】設定部７では現在の時刻が予め設定された時刻になったら時刻補正の実施を指示する補正指示信号を送信し、制御部２では無線部を用いて基地局情報を取得し、位置情報検出部８では取得した基地局情報から位置情報を検出し、受信周波数設定部９では受信周波数テーブル１１を参照して、位置情報に対応する周波数を特定し、時報検出部１０では特定した周波数で受信した放送から時報を検出してタイミング信号を送信し、時刻補正部６ではタイミング信号に基づいて時計機能部の時刻を補正する。これにより簡単かつ確実に時刻補正を実施できる。また、携帯電話機に設けられたラジオ放送やＴＶ放送、１セグ放送の受信機能を利用して時刻補正を行うため、携帯電話機の構成を簡易にできる。【選択図】図１
2007225409.tif 000002
【特許請求の範囲】
【請求項１】
基地局を介して無線通信を行う無線部と、所定の放送を受信する受信部と、時刻を管理する時計機能部と、を少なくとも備える携帯電話機において、
前記時計機能部から取得した現在の時刻が予め設定された時刻になったら、時刻補正の実施を指示する補正指示信号を送信する設定部と、
前記補正指示信号を受信し、前記無線部を用いて、前記携帯電話機が無線通信を行う前記基地局を特定する基地局情報を取得する制御部と、
取得した前記基地局情報から前記携帯電話機の現在の位置を特定する位置情報を検出する位置情報検出部と、
位置情報と時報を報知する放送の周波数とが予め対応付けて記憶された受信周波数テーブルを参照して、検出した前記位置情報に対応する周波数を特定し、前記受信部の受信周波数を特定した前記周波数に設定する受信周波数設定部と、
特定した前記周波数で前記受信部が受信した放送から時報を検出し、タイミング信号を送信する時報検出部と、
前記タイミング信号を受信し、該タイミング信号に基づいて前記時計機能部の時刻を補正する時刻補正部と、を少なくとも備えることを特徴とする携帯電話機。
【請求項２】
前記時刻補正部では、前記補正指示信号を受信し、該補正指示信号から補正時刻を取得し、前記タイミング信号に基づいて前記時計機能部の時刻を前記補正時刻に補正することを特徴とする請求項１記載の携帯電話機。
【請求項３】
前記受信周波数テーブルには、各々の位置情報に対して複数の周波数が登録され、
前記受信周波数設定部は、特定した前記周波数で前記受信部が放送を受信できない場合に、予め設定された優先順位に基づいて、前記受信部の受信周波数を順次、他の周波数に設定することを特徴とする請求項１又は２に記載の携帯電話機。
【請求項４】
前記所定の放送とは、ＡＭラジオ放送、ＦＭラジオ放送、テレビジョン放送及び携帯端末用地上波デジタル放送の中から選択される１以上の放送であることを特徴とする請求項１乃至３のいずれか一に記載の携帯電話機。
【請求項５】
基地局を介して無線通信を行う無線部と、所定の放送を受信する受信部と、時刻を管理する時計機能部と、を少なくとも備える携帯電話機における時刻補正方法であって、
前記時計機能部から取得した現在の時刻が予め設定された時刻になったら、時刻補正の実施を指示する補正指示信号を送信する第１のステップと、
前記補正指示信号を受信し、前記無線部を用いて、前記携帯電話機が無線通信を行う前記基地局を特定する基地局情報を取得する第２のステップと、
取得した前記基地局情報から前記携帯電話機の現在の位置を特定する位置情報を検出する第３のステップと、
位置情報と時報を報知する放送の周波数とが予め対応付けて記憶された受信周波数テーブルを参照して、前記位置情報に対応する周波数を特定し、前記受信部の受信周波数を特定した前記周波数に設定する第４のステップと、
特定した前記周波数で前記受信部が受信した放送から時報を検出し、タイミング信号を送信する第５のステップと、
前記タイミング信号を受信し、該タイミング信号に基づいて前記時計機能部の時刻を補正する第６のステップと、を少なくとも有することを特徴とする携帯電話機における時刻補正方法。
【請求項６】
前記第６のステップでは、前記補正指示信号を受信し、該補正指示信号から補正時刻を取得し、前記タイミング信号に基づいて前記時計機能部の時刻を前記補正時刻に補正することを特徴とする請求項５載の携帯電話機における時刻補正方法。
【請求項７】
前記受信周波数テーブルに、各々の位置情報に対して複数の周波数を登録し、
前記第４のステップでは、特定した前記周波数で前記受信部が放送を受信できない場合に、予め設定された優先順位に基づいて、前記受信部の受信周波数を順次、他の周波数に設定することを特徴とする請求項５又は６に記載の携帯電話機における時刻補正方法。
【請求項８】
前記所定の放送とは、ＡＭラジオ放送、ＦＭラジオ放送、テレビジョン放送及び携帯電話機用地上波デジタル放送の中から選択される１以上の放送であることを特徴とする請求項５乃至７のいずれか一に記載の携帯電話機における時刻補正方法。
【発明の詳細な説明】
【技術分野】
【０００１】
本発明は、携帯電話機及び該携帯電話機における時刻補正方法に関する。
【背景技術】
【０００２】
携帯電話機には一般に時計機能が内蔵されているが、この時計機能は内部発振器の精度が絶対的ではないために時刻ずれが生じ、時刻ずれが生じた場合には、その都度、使用者が時刻を補正する必要があった。
【０００３】
この時刻補正の動作について、図４を参照して説明する。まず、ステップＳ３０１で時刻ずれが発生したと使用者が判断したら、ステップＳ３０２で使用者は携帯電話機を操作して時刻補正モードに設定し、ステップＳ３０３で時刻のリファレンス（時報など）に合わせて手作業で時刻補正を実施する。そしてステップＳ３０４で時刻補正が成功したら、ステップＳ３０５で時刻補正モードを手作業で解除し、時刻補正の動作を終了する。このような手動で実施する時刻補正は、使用者にとって手間がかかり煩わしかった。
【０００４】
上記時刻補正に関して、標準電波を利用して自動的に時刻補正を実施する電波時計が知られており、また、下記特許文献１には、放送されたコンテンツを検索する検索システムにおいて、少なくともコンテンツが放送された時刻を示す時刻情報を記憶する記憶手段と、記憶手段に記憶された時刻情報を外部に転送する通信手段とを備える入力手段と、コンテンツを示す情報とコンテンツの放送時刻とが対応付けられて蓄積される蓄積手段と、通信手段によって転送された時刻情報を受信し、受信された時刻情報に基づき蓄積手段に蓄積されたコンテンツを示す情報を検索する検索手段と、を備える検索装置を有する構成が開示されている。
【０００５】
【特許文献１】特開２０００−３３９３４５号公報（第１２−１４頁、第１１図）
【発明の開示】
【発明が解決しようとする課題】
【０００６】
上記電波時計や特許文献１のシステムは標準電波を利用して時刻補正を実施するものであり、時刻補正のために標準電波を受信する手段が必要であるため、この手段を携帯電話機に設けると携帯電話機の構成が複雑になるという問題がある。
【０００７】
一方、近年の携帯電話機にはラジオ放送やテレビジョン放送などを受信する機能を備えたものも多く、ラジオ放送やテレビジョン放送の時報を利用して時刻補正を行うことができれば構成を簡略化することが可能である。しかしながら、ラジオ放送やテレビジョン放送は地域によって使用される周波数が相違するため、周波数の相違する地域で携帯電話機を使用した場合には、ラジオ放送やテレビジョン放送の時報を受信することができず、時刻補正を実施できない場合が生じるという問題がある。
【０００８】
本発明は、上記問題点に鑑みてなされたものであり、その主たる目的は、簡単かつ確実に時刻補正を実施することができる携帯電話機及び該携帯電話機における時刻補正方法を提供することにある。
【課題を解決するための手段】
【０００９】
上記目的を達成するため、本発明は、基地局を介して無線通信を行う無線部と、所定の放送を受信する受信部と、時刻を管理する時計機能部と、を少なくとも備える携帯電話機において、前記時計機能部から取得した現在の時刻が予め設定された時刻になったら、時刻補正の実施を指示する補正指示信号を送信する設定部と、前記補正指示信号を受信し、前記無線部を用いて、前記携帯電話機が無線通信を行う前記基地局を特定する基地局情報を取得する制御部と、取得した前記基地局情報から前記携帯電話機の現在の位置を特定する位置情報を検出する位置情報検出部と、位置情報と時報を報知する放送の周波数とが予め対応付けて記憶された受信周波数テーブルを参照して、検出した前記位置情報に対応する周波数を特定し、前記受信部の受信周波数を特定した前記周波数に設定する受信周波数設定部と、特定した前記周波数で前記受信部が受信した放送から時報を検出し、タイミング信号を送信する時報検出部と、前記タイミング信号を受信し、該タイミング信号に基づいて前記時計機能部の時刻を補正する時刻補正部と、を少なくとも備えるものである。
【００１０】
本発明においては、前記時刻補正部では、前記補正指示信号を受信し、該補正指示信号から補正時刻を取得し、前記タイミング信号に基づいて前記時計機能部の時刻を前記補正時刻に補正する構成とすることができる。
【００１１】
また、本発明においては、前記受信周波数テーブルには、各々の位置情報に対して複数の周波数が登録され、前記受信周波数設定部は、特定した前記周波数で前記受信部が放送を受信できない場合に、予め設定された優先順位に基づいて、前記受信部の受信周波数を順次、他の周波数に設定する構成とすることもできる。
【００１２】
また、本発明においては、前記所定の放送とは、ＡＭラジオ放送、ＦＭラジオ放送、テレビジョン放送及び携帯端末用地上波デジタル放送の中から選択される１以上の放送であることが好ましい。
【００１３】
また、本発明の方法は、基地局を介して無線通信を行う無線部と、所定の放送を受信する受信部と、時刻を管理する時計機能部と、を少なくとも備える携帯電話機における時刻補正方法であって、前記時計機能部から取得した現在の時刻が予め設定された時刻になったら、時刻補正の実施を指示する補正指示信号を送信する第１のステップと、前記補正指示信号を受信し、前記無線部を用いて、前記携帯電話機が無線通信を行う前記基地局を特定する基地局情報を取得する第２のステップと、取得した前記基地局情報から前記携帯電話機の現在の位置を特定する位置情報を検出する第３のステップと、位置情報と時報を報知する放送の周波数とが予め対応付けて記憶された受信周波数テーブルを参照して、前記位置情報に対応する周波数を特定し、前記受信部の受信周波数を特定した前記周波数に設定する第４のステップと、特定した前記周波数で前記受信部が受信した放送から時報を検出し、タイミング信号を送信する第５のステップと、前記タイミング信号を受信し、該タイミング信号に基づいて前記時計機能部の時刻を補正する第６のステップと、を少なくとも有するものである。
【００１４】
本発明においては、前記第６のステップでは、前記補正指示信号を受信し、該補正指示信号から補正時刻を取得し、前記タイミング信号に基づいて前記時計機能部の時刻を前記補正時刻に補正する構成とすることができる。
【００１５】
また、本発明においては、前記受信周波数テーブルに、各々の位置情報に対して複数の周波数を登録し、前記第４のステップでは、特定した前記周波数で前記受信部が放送を受信できない場合に、予め設定された優先順位に基づいて、前記受信部の受信周波数を順次、他の周波数に設定する構成とすることもできる。
【００１６】
このように、本発明によれば、現在の時刻が予め定められた時刻になったら、基地局情報を取得して位置情報を検出し、検出した位置情報に基づいて時報を報知する放送を受信可能な周波数を特定し、その周波数で受信した放送から時報を検出し、その時報に基づいて時刻を補正する制御を行うため、使用者が特別な操作をすることなく簡単に時刻を補正することができると共に、携帯電話機がどの地域にあったとしても確実に時刻補正を実施することができる。
【発明の効果】
【００１７】
本発明の携帯電話機及び該携帯電話機における時刻補正方法によれば、簡単かつ確実に時刻補正を実施することができる。
【００１８】
その理由は、現在の時刻が予め設定された時刻になったら、無線部を用いて基地局情報を取得し、取得した基地局情報から位置情報を検出し、検出した位置情報から時報を報知する放送を受信可能な周波数を特定し、特定した周波数で受信した放送から時報を検出し、その時報に基づいて時計機能部の時刻を補正するため、使用者が特別な操作をしなくても自動的に時刻補正を実施することができ、また、携帯電話機が移動したとしても、移動先に対応する周波数で確実に放送を受信することができるからである。
【００１９】
また、本発明では、ＡＭラジオ放送やＦＭラジオ放送、テレビジョン放送、携帯端末用地上波デジタル放送（いわゆる１セグ放送）から時報を検出しているため、標準電波を利用する場合のように、特別な周波数の電波を受信する手段を別途設ける必要がなく、携帯電話機の構成を簡易にすることができる。
【発明を実施するための最良の形態】
【００２０】
従来技術で示したように、携帯電話機に内蔵される時計に時刻ずれが発生した場合に、使用者が手作業で時刻補正を行わなければならず、作業が煩雑になるという問題があった。また、標準電波を利用して時刻補正を行うためには標準電波を受信するための専用の手段を設けなければならず、構成が複雑になるという問題があった。また、予め携帯電話機に設けられたチューナ機能を利用してラジオ放送やテレビジョン放送の時報に基づいて時刻を補正する場合には、地域によって放送の周波数が相違するため、携帯電話機を移動させると時刻の補正が実施できない場合が生じるという問題があった。
【００２１】
そこで、本発明では、無線通信を行う無線部と所定の放送を受信する受信部と時刻を管理する時刻機能部とを備えた携帯電話機に、設定部と制御部と位置情報検出部と受信周波数設定部と時報検出部と時刻補正部とを設け、設定部では現在の時刻と予め設定された時刻とを比較し、現在の時刻が設定時刻になったら時刻補正の実施を指示する補正指示信号を送信し、制御部では補正指示信号を受信したら無線部を用いて基地局情報を取得し、位置情報検出部では取得した基地局情報から位置情報を検出し、受信周波数設定部では予め記憶されたテーブルを参照して、位置情報に対応する周波数を特定して受信部の受信周波数を特定した周波数に設定し、時報検出部では特定した周波数で受信した放送から時報を検出してタイミング信号を送信し、時刻補正部ではそのタイミング信号に基づいて時計機能部の時刻を補正する。これにより、使用者が特別な操作をしなくても予め設定された時刻になったら自動的に時刻補正を行うことができ、また、携帯電話機が移動したとしても、その場所に対応する周波数を用いて放送を受信することができるため、簡単かつ確実に時刻補正を実施することができる。また、携帯電話機に設けられたＡＭラジオ放送やＦＭラジオ放送、テレビジョン放送、携帯端末用地上波デジタル放送の受信機能を利用して時刻補正を行うため、標準電波を受信するための特別な手段を別途設ける必要がなく、携帯電話機の構成を簡易にすることができる。
【実施例】
【００２２】
上記した本発明の実施の形態について、さらに詳細に説明すべく、本発明の一実施例に係る携帯電話機及び該携帯電話機における時刻補正方法について、図１乃至図３を参照して説明する。図１は、本実施例に係る携帯電話機の構成を模式的に示すブロック図であり、図２は、本実施例の携帯電話機を用いた時刻補正手順を示すフローチャート図であり、図３は、時刻補正部における時刻補正動作を示すフローチャート図である。
【００２３】
なお、以下では、携帯電話機に予めＡＭラジオ放送を受信する機能を備えているものとし、このＡＭラジオ放送を利用して時報補正を実施する場合について説明するが、時刻補正に用いる放送はＡＭラジオ放送に限定されず、ＦＭラジオ放送やテレビジョン放送や携帯端末用地上波デジタル放送（いわゆる１セグ放送）などを利用することができる。
【００２４】
図１に示すように、本実施例の携帯電話機１は、電話や電子メールなどの無線通信を行う無線アンテナ３及び無線部４と、時刻を管理する時計機能部５と、時刻補正を実施するか否かを判定する設定部７と、携帯電話機１全体を制御すると共に、無線部４を用いて無線通信を行う基地局を特定する情報（以下、基地局情報）を取得する制御部２と、基地局情報に基づいて携帯電話機１の現在の位置を特定する情報（以下、位置情報と呼ぶ。）を検出する位置情報検出部８と、位置情報と時報を報知するＡＭ放送の周波数とが対応付けられた受信周波数テーブル１１を参照して、検出した位置情報に対応する周波数を特定する受信周波数設定部９と、特定した周波数のＡＭ放送を受信し復調する受信アンテナ１２及び受信部１３と、受信部１３が受信した放送から時報を検出する時報検出部１０と、検出した時報に基づいて時計機能部５の時刻を補正する時刻補正部６と、音声を入出力するマイク１５やスピーカ１４、音声回路部１６などを備えている。
【００２５】
時計機能部５は、内部発振器を備える回路などで構成され、制御部２に現在の時刻を通知する機能を有する。
【００２６】
設定部７は、時刻補正を実施する時刻（以下、補正実施時刻と呼ぶ。）が登録された補正実施時刻テーブル１７と、時刻補正の実施に要する時間や時計機能部５の時刻ずれを考慮して設定される時間Ｎ（Ｎは１〜５９分）とを記憶する機能と、上記補正実施時刻や時間Ｎと現在の時刻との比較結果に基づいて、時刻補正の開始を指示する補正実施判定手段１８とを備える。
【００２７】
補正実施時刻テーブル１７は、１時間単位で補正実施時刻が登録されており、この値は任意に設定可能である。例えば、「６：００」と「１５：００」とが登録されている場合には、毎日６時と１５時に時刻補正を実施する。
【００２８】
補正実施判定手段１８は、補正実施時刻と時間Ｎとから補正処理を開始する時刻（以下、補正開始時刻と呼ぶ。）を定め、現在の時刻が補正開始時刻になったかを判定する機能と、補正開始時刻になった場合に制御部２と時刻補正部６とに補正処理の開始を指示する信号（以下、補正指示信号と呼ぶ。）を送出する機能とを有している。具体的には、例えば、補正実施時刻が「６：００」、時間Ｎが「５」分である場合には、補正開始時刻は「５：５５」分になり、現在の時刻が「５：５５」分になった場合に、制御部２と時刻補正部６とに補正指示信号を送出する。
【００２９】
無線アンテナ３及び無線部４は、携帯電話機を用いた通話やデータ通信（インターネット接続、電子メール）などを実現する機能を有する。また、携帯電話機１は無線部４を用いて基地局に対して自らの位置を登録して、移動に応じてその登録する基地局を変更することで通話や通信を可能にしている。
【００３０】
制御部２は、補正指示信号を受信したら、携帯電話機１の通信事業会社（キャリア）が提供する基地局情報の取得に関する制御を実行する。具体的には、携帯電話機１は無線通信を行うために予め基地局に携帯電話機１を登録するような仕組みになっており、制御部２は無線部４を用い、例えば、インターネット上にある位置情報サーバからＨＴＴＰ（Hyper Text Transfer Protocol）を用いて携帯電話機１の位置が登録されている基地局情報を取得したり、基地局から直接、基地局情報を取得する。
【００３１】
位置情報検出部８は、制御部２が無線部４を用いて取得した基地局情報から携帯電話機１の現在の位置を特定する位置情報を取得する機能を有する。例えば、取得した基地局情報から、全国を所定のエリア（例えば、５０５のエリア）に分割したエリアコード（位置情報）を検出して、そのエリアコードを受信周波数設定部９へと出力する機能を有する。具体的には、基地局情報が「エリアＩＤ＋サブエリアＩＤ＋緯度経度情報＋標準地域メッシュコード」で構成される場合は、エリアＩＤ部分からエリアコードを取得し、また、基地局情報にエリアＩＤが含まれていない場合は、緯度経度情報などから位置を特定し、特定された位置からエリアコードを取得する。
【００３２】
受信周波数テーブル１１には、上記エリアコードと、そのエリアコードで特定されるエリアにおいて時報を報知するＡＭ放送を受信可能な周波数とが対応付けて登録されている。なお、一つのエリアコードには少なくとも一つの周波数が対応付けられていればよいが、一つのエリアコードに対して複数の周波数を登録し、優先順位を設定してもよい。
【００３３】
受信周波数設定部９は、上記受信周波数テーブル１１を参照して、取得したエリアコードに対応する周波数（放送局）を特定し、特定した周波数の電波を受信できるように受信部１３を設定する機能を有する。なお、一つのエリアコードに対して複数の周波数が登録されている場合には優先順位が最も高い周波数を選択すればよく、また、設定した周波数で放送を受信できない場合には、優先順位に従って順次、他の周波数に変更することもできる。その際、ＡＭ放送以外の放送（例えば、ＦＭ放送やテレビジョン放送、１セグ放送など）を受信可能なチューナ機能を備えている場合は、一つのエリアコードに対して複数種類の放送の周波数を登録しておけば、特定の種類の放送の受信状態が悪い場合でも他の種類の放送を受信することができる。
【００３４】
受信アンテナ１２及び受信部１３は、受信周波数設定部９で設定された周波数の電波（ＡＭラジオ）を受信して、復調するチューナ機能を有する。なお、受信アンテナ１２及び受信部１３を複数備え、ＡＭ放送、ＦＭ放送、テレビジョン放送などをそれぞれ受信できるマルチチューナ機能としてもよい。
【００３５】
時報検出部１０は、受信部１３が受信して復調したデータの中から、特定の時報音（例えば、ＮＨＫの放送では４４０Ｈｚである予報音と８８０Ｈｚである正報音という二つのトーンパルスが特定間隔で組み合わされた音）を検出し、この特定の時報音を検出したらタイミング信号を発する機能を有する。なお、特定の時報音が放送局によって相違する場合には、その放送局に応じたトーンパルスを検出するように時報検出部１０を構成してもよい。また、時報の検出はトーンパルス信号に限らず、例えば、受信部１３がＦＭ文字多重放送やテレビの文字放送に対応する場合には、放送された文字情報に含まれる時報を検出するようにしてもよい。
【００３６】
時刻補正部６は、補正実施判定手段１８からの補正指示信号を受信することによって、時刻補正を実施する状態に移行し、時報検出部１０からのタイミング信号を受けて時計機能部５が管理する時刻の分や秒の値をゼロに変換することによって時刻補正を実施する機能を有する。その際、時計機能部５の時刻が実際の時間よりも進んでいる場合は分や秒の値をゼロに変換することによって正しい時刻に補正することができるが、時計機能部５の時刻が実際の時間よりも遅れている場合は分や秒の値をゼロに変換することによって１時間前の時刻に補正されてしまうため、時刻補正部６はタイミング信号を受信したら補正指示信号から補正実施時刻を特定し、時計機能部５の時刻をその補正実施時刻に補正することが好ましい。
【００３７】
なお、上記構成では、時報を報知する放送の周波数が地域によって異なることを前提にしているため、携帯電話機１を移動させた場合であっても受信できるように、携帯電話機１に位置情報検出部８と受信周波数テーブル１１と受信周波数設定部９とを設けているが、全国同一の周波数で時報を報知する放送を受信できる場合には、受信部１３では上記周波数で放送を受信すればよいため、その場合は位置情報検出部８と受信周波数テーブル１１とを省略し、受信周波数設定部９で受信部１３の受信周波数を上記周波数に設定する構成としてもよい。また、図１では、本発明の携帯電話機の機能を理解しやすくするために各手段を分離して記載しているが、これらの手段は必ずしも別々に構成する必要はなく、例えば、制御部２の中に設定部７や位置情報検出部８、受信周波数設定部９、時刻補正部６などを含めてもよいし、補正実施時刻テーブル１７や受信周波数テーブル１１を同じ記憶手段に記憶してもよい。
【００３８】
次に、上記構成の携帯電話機１を用いた時刻補正の処理について、図２のフローチャート図を参照して説明する。
【００３９】
まず、ステップＳ１０１で、制御部２は携帯電話機１が圏内（無線部４と基地局との無線通信が可能）であるか否かを判定する。
【００４０】
そして、圏内であると判定したら、ステップＳ１０２で、補正実施判定手段１８は、予め補正実施時刻テーブル１７に登録されている補正実施時刻と、その時刻補正の余裕時間として任意に設定された時間Ｎとを用いて、補正開始時刻（補正実施時刻−時間Ｎ）を算出し、ステップＳ１０３で、補正実施判定手段１８は補正開始時刻と制御部２経由で時計機能部５から取得した現在の時刻とを比較して、現在の時刻が補正開始時刻になったか否かを判定し、現在の時刻が補正開始時刻になったら、制御部２と時刻補正部６とに時刻補正の開始を指示する補正指示信号を送出する。
【００４１】
次に、補正指示信号を受けた制御部２は、ステップＳ１０４で、無線部４を用いて、インターネット上にある携帯電話機１の位置情報サーバに接続して基地局情報を取得したり、基地局から直接、基地局情報を取得する。そして、基地局情報を取得したら、位置情報検出部８は、取得した基地局情報からエリアコード（位置情報）を検出し、検出したエリアコードを受信周波数設定部９に入力する。
【００４２】
次に、ステップＳ１０５で、受信周波数設定部９は、予め記憶された受信周波数テーブル１１を参照して、入力されたエリアコードから現在の位置におけるラジオ放送の周波数を特定し、特定した周波数に基づいて受信部１３を選局（周波数を設定）する。
【００４３】
その際、各々のエリアコードに対して複数の周波数を登録しておけば、受信周波数設定部１３で設定した周波数で受信できなかった場合（例えば、その周波数の電波の受信状態が悪い場合）に、予め設定された優先順位に従って周波数を順次切り替えることによって確実に放送を受信することができ、時刻補正をより確実に実施することができる。また、マルチチューナ機能を搭載する場合において、ＡＭ放送の受信状態が悪い場合には、予め設定された優先順位に従ってＦＭラジオ放送、テレビジョン放送、１セグ放送などに順次切り替えることによって確実に放送を受信することができ、時刻補正をより確実に実施することができる。
【００４４】
次に、ステップＳ１０６で、受信部１３は、設定された周波数の電波を受信して、復調し、ステップＳ１０７で、時報検出部１０は、その復調したデータに時報を示すトーンパルス信号が含まれているか否かを調べる。そして、時報検出部１０が時報を検出したら、時刻補正部６にタイミング信号を入力し、ステップＳ１０８で、時刻補正部６は、そのタイミング信号に基づいて時計機能部５の時刻の自動補正を実施する。
【００４５】
この自動補正を図３のフローチャート図を参照して説明すると、ステップＳ２０１で、時刻補正部６はタイミング信号を受信したら、ステップＳ２０２で、補正指示信号から補正実施時刻を特定し、タイミング信号に合わせて、時計機能部５の時間を補正実施時刻に、分及び秒をゼロに設定する。または、タイミング信号に合わせて、時計機能部５の時刻を最も近いちょうどの時刻に補正する。例えば、現在の時刻が「１４：０５」ならば、「１４：００」に補正し、取得した現在の時刻が「１４：５５」ならば「１５：００」に補正する。
【００４６】
このように、本実施例の携帯電話機では、現在の時刻が補正開始時刻になったら基地局情報を取得し、取得した基地局情報から位置情報（エリアコード）を検出し、検出した位置情報から時報を報知する放送を受信可能な周波数を特定し、その周波数で受信した放送から時報を検出し、その時報に基づいて時刻を補正するため、使用者が特別な操作をすることなく簡単に時刻補正を実施することができ、また、エリアコードが異なる場所に移動したとしてもその場所に対応した周波数で放送を受信することができるため、確実に時刻補正を実施することができる。また、特別な周波数の電波（標準電波）を使用しないため、標準電波を受信するための手段を別途設ける必要がなく、携帯電話機の構成を簡易にすることができる。
【００４７】
なお、上記フローでは圏内と判定された場合に時刻補正を実施したが、例えば、位置情報検出部８で検出した位置情報や、受信周波数設定部９で設定した周波数の履歴情報を記憶部に記憶しておき、圏外と判定された場合には、その履歴情報を参照して、例えば、前回の位置情報や周波数、頻度の高い位置情報や周波数などを採用して時刻補正を実施することもでき、このような構成により、圏外であっても時刻を補正することが可能となる。
【産業上の利用可能性】
【００４８】
本発明は携帯電話機に限定されず、例えば、ＰＨＳ（Personal Handyphone System）やＰＤＡ（Personal Digital Assistance）等の無線通信機能と時計機能とチューナ機能とを有する任意の機器に適することができる。
【図面の簡単な説明】
【００４９】
【図１】本発明の一実施例に係る携帯電話機の構成を模式的に示すブロック図である。
【図２】本発明の一実施例に係る携帯電話機を用いた時刻補正手順を示すフローチャート図である。
【図３】本発明の一実施例に係る携帯電話機の時刻補正部の処理手順を示すフローチャート図である。
【図４】従来の手動の時刻補正手順を示すフローチャート図である。
【符号の説明】
【００５０】
１  携帯電話機
２  制御部
３  無線アンテナ
４  無線部
５  時計機能部
６  時刻補正部
７  設定部
８  位置情報検出部
９  受信周波数設定部
１０  時報検出部
１１  受信周波数テーブル
１２  受信アンテナ
１３  受信部
１４  スピーカ
１５  マイク
１６  音声回路部
１７  補正実施時刻テーブル
１８  補正実施判定手段
【図１】
2007225409.tif 000003
【図２】
2007225409.tif 000004
【図３】
2007225409.tif 000005
【図４】
2007225409.tif 000006